(57)【要約】【課題】接続態様によらずに端末装置及び表示装置を連動して動作させることを目的とする。【解決手段】出力インターフェース部１０６を有する端末装置１００と、入力インターフェース部２５１を有するプロジェクター２００とを備え、出力インターフェース部１０６と入力インターフェース部２５１とが接続され、端末装置１００は、予め設定された音声パターンの音声データを出力インターフェース部１０６に出力し、プロジェクター２００は、入力インターフェース部２５１から入力される音声データの音声パターンが予め設定された音声パターンに該当する場合に、音声パターンに対応した動作を実行することを特徴とする表示システム１。【選択図】図３
2017173497.tif 000002
【特許請求の範囲】
【請求項１】
端末装置と、表示装置とを備える表示システムであって、
前記端末装置は、
画像データ及び音声データを出力する出力部と、
所定の音声パターンの前記音声データを前記出力部から出力させる第１の制御部と、を備え、
前記表示装置は、
前記出力部から出力された前記画像データ及び前記音声データが入力される入力部と、
前記所定の音声パターンと、所定の動作との対応関係を記憶する記憶部と、
前記入力部に入力される前記音声データが前記所定の音声パターンに該当する場合に、前記所定の動作を実行する第２の制御部と、を備える表示システム。
【請求項２】
前記出力部は、前記画像データ及び前記音声データを出力する出力インターフェースを備え、
前記入力部は、前記画像データ及び前記音声データを入力する入力インターフェースを備える、ことを特徴とする請求項１記載の表示システム。
【請求項３】
前記出力部は、前記画像データを出力するインターフェースと、前記音声データを出力するインターフェースとを含む出力インターフェースを備え、
前記入力部は、前記画像データを入力するインターフェースと、前記音声データを入力するインターフェースとを含む入力インターフェースを備える、ことを特徴とする請求項１記載の表示システム。
【請求項４】
前記第１の制御部は、前記出力インターフェースから出力する前記画像データが予め設定された変化をする場合に、前記所定の音声パターンの前記音声データを前記出力インターフェースから出力する、ことを特徴とする請求項２又は３記載の表示システム。
【請求項５】
前記表示装置は、前記入力インターフェースに入力される前記画像データに基づく第１の画像を表示する表示部と、
指示体の操作を検出する検出部と、
前記検出部が検出する操作に対応する第２の画像を描画して、前記表示部に表示させる描画部と、を備え、
前記描画部は、前記入力インターフェースに入力される前記音声データが前記所定の音声パターンに該当する場合に、前記表示部における前記第２の画像の表示を消去する、ことを特徴とする請求項２から４のいずれかに記載の表示システム。
【請求項６】
前記表示装置は、前記入力インターフェースに入力される前記画像データに基づく第１の画像を表示する表示部と、
指示体の操作を検出する検出部と、
前記検出部が検出する操作に対応する第２の画像を描画して、前記表示部に表示させる描画部と、
画像データを記憶する記憶部と、を備え、
前記描画部は、前記入力インターフェースに入力される前記音声データが前記所定の音声パターンに該当する場合に、前記表示部に表示した前記第１の画像及び前記第２の画像の少なくとも一方の画像データを前記記憶部に記憶させる、ことを特徴とする請求項２から４のいずれかに記載の表示システム。
【請求項７】
前記表示装置は、前記入力インターフェースに入力される前記画像データに基づく第１の画像を表示する表示部と、
指示体の操作を検出する検出部と、
前記検出部が検出する操作に対応する第２の画像を描画して、前記表示部に表示させる描画部と、を備え、
前記描画部は、前記入力インターフェースに入力される前記音声データが前記所定の音声パターンに該当する場合に、前記第２の画像を前記表示部に表示させない状態に移行する、ことを特徴とする請求項２から４のいずれかに記載の表示システム。
【請求項８】
前記第１の制御部は、前記画像データの出力を開始してから、予め設定された時間が経過した場合に、前記所定の音声パターンの前記音声データを前記出力インターフェースから出力する、ことを特徴とする請求項２又は３記載の表示システム。
【請求項９】
前記表示装置は、前記入力インターフェースに入力される前記画像データに基づく第１の画像を表示する表示部と、
指示体の操作を検出する検出部と、
前記検出部が検出する操作に対応する第２の画像を描画して、前記表示部に表示させる描画部と、を備え、
前記描画部は、前記入力インターフェースに入力される前記音声データが前記所定の音声パターンに該当する場合に、予め設定された時間、前記第２の画像を前記表示部に表示させ、前記時間の経過後に、前記第２の画像を前記表示部に表示させない状態に移行する、ことを特徴とする請求項２から４のいずれかに記載の表示システム。
【請求項１０】
画像データ及び音声データを入力する入力インターフェース、又は画像データを入力するインターフェース及び音声データを入力するインターフェースを含む入力インターフェースを備え、
前記入力インターフェースに入力される所定の音声データの前記音声パターンと、前記所定の音声パターンの前記音声データが前記入力インターフェースに入力された場合に実行する動作とが設定され、
前記入力インターフェースに入力される前記音声データが前記所定の音声パターンに該当する場合に、前記所定の音声パターンに対応して設定された前記動作を実行する、ことを特徴とする表示装置。
【請求項１１】
画像データ及び音声データを出力する出力インターフェース、又は画像データを出力するインターフェース及び音声データを出力するインターフェースを含む出力インターフェースと、
前記出力インターフェースから出力する前記画像データの変化を検出して、所定の音声パターンの前記音声データを前記出力インターフェースから出力する第１の制御部と、
を備えることを特徴とする端末装置。
【請求項１２】
端末装置と、前記端末装置に接続される表示装置とを有する表示システムの制御方法であって、
前記端末装置により、画像データ及び音声データを出力する出力部から、所定の音声パターンの前記音声データを出力し、
前記表示装置により、前記端末装置の前記出力部に接続される入力部に入力される前記音声データが、前記所定の音声パターンに該当する場合に、前記所定の音声パターンに対応して設定された所定の動作を実行する、ことを特徴とする表示システムの制御方法。
【発明の詳細な説明】
【技術分野】
【０００１】
本発明は、表示システム、表示装置、端末装置、及び、表示システムの制御方法に関する。
【背景技術】
【０００２】
従来、端末装置と表示装置とを接続して、端末装置から送信される画像等の情報を表示装置により表示する表示システムが知られている。このシステムにおいて、表示装置が表示した画像に対する操作を検出して、検出した操作に対応した画像を描画する技術が知られている（例えば、特許文献１参照）。
特許文献１の双方向表示方法は、外部機器から入力される表示信号に基づく画像を画面に表示し、画面に対する操作を検出して操作に対応したオブジェクトを、表示信号に基づく画像に合成して表示する。また、双方向表示方法は、外部機器に対する操作、及びオブジェクトに対する操作である連動操作を検出し、検出した連動操作に対応した機器操作信号を生成して外部機器に出力し、機器操作信号に応じた画像の変化に対応するようにオブジェクトを編集する。
【先行技術文献】
【特許文献】
【０００３】
【特許文献１】特開２０１５−１９７５８６号公報
【発明の概要】
【発明が解決しようとする課題】
【０００４】
しかしながら、端末装置と表示装置とを制御データの送受信ができないような態様で接続した場合、端末装置と表示装置との動作を連動させることが難しい場合があった。
本発明は、上記事情に鑑みてなされたものであり、接続態様によらずに端末装置及び表示装置を連動して動作させることを目的とする。
【課題を解決するための手段】
【０００５】
上記目的を達成するために本発明の表示システムは、端末装置と、表示装置とを備える表示システムであって、前記端末装置は、画像データ及び音声データを出力する出力部と、所定の音声パターンの前記音声データを前記出力部から出力させる第１の制御部と、を備え、前記表示装置は、前記出力部から出力された前記画像データ及び前記音声データが入力される入力部と、前記所定の音声パターンと、所定の動作との対応関係を記憶する記憶部と、前記入力部に入力される前記音声データが前記所定の音声パターンに該当する場合に、前記所定の動作を実行する第２の制御部と、を備える表示システム。
本発明によれば、端末装置が所定の音声パターンの音声データを表示装置に送信することで、表示装置に、所定の音声パターンに対応して設定された所定の動作を実行させることができる。従って、接続態様によらずに端末装置及び表示装置を連動して動作させることができる。
【０００６】
また、本発明は、上記表示システムにおいて、前記出力部は、前記画像データ及び前記音声データを出力する出力インターフェースを備え、前記入力部は、前記画像データ及び前記音声データを入力する入力インターフェースを備えることを特徴とする。
本発明によれば、画像データ及び音声データを１つのインターフェースで端末装置から表示装置に送信することができる。
【０００７】
また、本発明は、上記表記システムにおいて、前記出力部は、前記画像データを出力するインターフェースと、前記音声データを出力するインターフェースとを含む出力インターフェースを備え、前記入力部は、前記画像データを入力するインターフェースと、前記音声データを入力するインターフェースとを含む入力インターフェースを備えることを特徴とする。
本発明によれば、画像データと、音声データとをそれぞれ別々のインターフェースにより端末装置から表示装置に送信することができる。
【０００８】
また、本発明は、上記表示システムにおいて、前記第１の制御部は、前記出力インターフェースから出力する前記画像データが予め設定された変化をする場合に、前記所定の音声パターンの前記音声データを前記出力インターフェースから出力することを特徴とする。
本発明によれば、端末装置において、出力インターフェースから出力される画像データの変化を検出して、所定の音声パターンの音声データを出力することができる。従って、表示装置に、画像データの変化に対応して、所定の動作を行わせることができる。
【０００９】
また、本発明は、上記表示システムにおいて、前記表示装置は、前記入力インターフェースに入力される前記画像データに基づく第１の画像を表示する表示部と、指示体の操作を検出する検出部と、前記検出部が検出する操作に対応する第２の画像を描画して、前記表示部に表示させる描画部と、を備え、前記描画部は、前記入力インターフェースに入力される前記音声データが前記所定の音声パターンに該当する場合に、前記表示部における前記第２の画像の表示を消去することを特徴とする。
本発明によれば、端末装置から表示装置に送信される所定の音声パターンの音声データにより、表示部に表示される第２の画像を消去させることができる。
【００１０】
また、本発明は、上記表示システムにおいて、前記表示装置は、前記入力インターフェースに入力される前記画像データに基づく第１の画像を表示する表示部と、指示体の操作を検出する検出部と、前記検出部が検出する操作に対応する第２の画像を描画して、前記表示部に表示させる描画部と、画像データを記憶する記憶部と、を備え、前記描画部は、前記入力インターフェースに入力される前記音声データが前記所定の音声パターンに該当する場合に、前記表示部に表示した前記第１の画像及び前記第２の画像の少なくとも一方の画像データを前記記憶部に記憶させることを特徴とする。
本発明によれば、端末装置から表示装置に送信される所定の音声パターンの音声データにより、第１の画像及び第２の画像の少なくとも一方を記憶部に記憶させることができる。
【００１１】
また、本発明は、上記表示システムにおいて、前記表示装置は、前記入力インターフェースに入力される前記画像データに基づく第１の画像を表示する表示部と、指示体の操作を検出する検出部と、前記検出部が検出する操作に対応する第２の画像を描画して、前記表示部に表示させる描画部と、を備え、前記描画部は、前記入力インターフェースに入力される前記音声データが前記所定の音声パターンに該当する場合に、前記第２の画像を前記表示部に表示させない状態に移行することを特徴とする。
本発明によれば、端末装置から表示装置に送信される所定の音声パターンの音声データにより、指示体の操作に対応した第２の画像を表示部に表示させないようにすることができる。
【００１２】
また、本発明は、上記表示システムにおいて、前記第１の制御部は、前記画像データの出力を開始してから、予め設定された時間が経過した場合に、前記所定の音声パターンの前記音声データを前記出力インターフェースから出力することを特徴とする。
本発明によれば、画像データを出力してから設定時間が経過した場合に、所定の音声パターンの音声データが出力される。従って、画像データに基づく画像が表示部に表示されてから設定時間が経過した場合に、指示体の操作に対応した第２の画像が表示部に表示されないようにすることができる。
【００１３】
また、本発明は、上記表示システムにおいて、前記表示装置は、前記入力インターフェースに入力される前記画像データに基づく第１の画像を表示する表示部と、指示体の操作を検出する検出部と、前記検出部が検出する操作に対応する第２の画像を描画して、前記表示部に表示させる描画部と、を備え、前記描画部は、前記入力インターフェースに入力される前記音声データが前記所定の音声パターンに該当する場合に、予め設定された時間、前記第２の画像を前記表示部に表示させ、前記時間の経過後に、前記第２の画像を前記表示部に表示させない状態に移行することを特徴とする。
本発明によれば、端末装置から表示装置に送信される所定の音声パターンの音声データにより、予め設定された設定時間の間、指示体の操作に対応した第２の画像が表示部に表示され、予め設定された設定時間を経過すると、指示体の操作に対応した第２の画像が表示されないようにすることができる。
【００１４】
本発明の表示装置は、画像データ及び音声データを入力する入力インターフェース、又は画像データを入力するインターフェース及び音声データを入力するインターフェースを含む入力インターフェースを備え、前記入力インターフェースに入力される所定の音声データの前記音声パターンと、前記所定の音声パターンの前記音声データが前記入力インターフェースに入力された場合に実行する動作とが設定され、前記入力インターフェースに入力される前記音声データが前記所定の音声パターンに該当する場合に、前記所定の音声パターンに対応して設定された前記動作を実行することを特徴とする。
本発明によれば、表示装置に、所定の音声パターンの音声データに対応して設定された動作を実行させることができる。
【００１５】
本発明の端末装置は、画像データ及び音声データを出力する出力インターフェース、又は画像データを出力するインターフェース及び音声データを出力するインターフェースを含む出力インターフェースと、前記出力インターフェースから出力する前記画像データの変化を検出して、所定の音声パターンの前記音声データを前記出力インターフェースから出力する第１の制御部とを備えることを特徴とする。
本発明によれば、出力インターフェースに出力される画像データの変化を検出して、所定の音声パターンの音声データを出力インターフェースに出力することができる。
【００１６】
本発明の表示システムの制御方法は、端末装置と、前記端末装置に接続される表示装置とを有する表示システムの制御方法であって、前記端末装置により、画像データ及び音声データを出力する出力部から、所定の音声パターンの前記音声データを出力し、前記表示装置により、前記端末装置の前記出力部に接続される入力部に入力される前記音声データが、前記所定の音声パターンに該当する場合に、前記所定の音声パターンに対応して設定された所定の動作を実行することを特徴とする。
本発明によれば、端末装置が所定の音声パターンを表示装置に送信することで、表示装置に、音声パターンに対応した動作を実行させることができる。従って、接続態様によらずに端末装置及び表示装置を連動して動作させることができる。
【図面の簡単な説明】
【００１７】
【図１】システム構成を示す図。
【図２】端末装置の構成図。
【図３】プロジェクターの構成図。
【図４】端末装置の動作を示すフローチャート。
【図５】プロジェクターの動作を示すフローチャート。
【発明を実施するための形態】
【００１８】
以下、添付図面を参照して本発明の実施形態について説明する。
図１は、本実施形態の表示システム１のシステム構成を示す図である。
表示システム１は、端末装置１００と、プロジェクター２００とを備える。端末装置１００とプロジェクター２００とは、画像データの送受信が可能なケーブル３０により接続される。プロジェクター２００は、端末装置１００から供給される画像データに基づく画像を投射対象に投射する。プロジェクター２００は、本発明の「表示装置」に相当する。
【００１９】
端末装置１００は、例えばノート型ＰＣ(Personal Computer)などのパーソナルコンピューターであるが、デスクトップ型ＰＣやタブレット端末、スマートフォン、ＰＤＡ（Personal Digital Assistant）、電子書籍端末であってもよい。また、端末装置１００として、ビデオ再生装置、ＤＶＤ（Digital Versatile Disk）プレーヤー、ブルーレイディスクプレーヤー、テレビチューナー装置、ＣＡＴＶ（Cable television）のセットトップボックス、ビデオゲーム機等の映像出力装置を用いることも可能である。
【００２０】
端末装置１００がプロジェクター２００に供給する画像データには、例えば、映像等の動画や、写真等の静止画のデータ、ワープロソフトや表計算ソフトにより作成した文書ファイル、プレゼンテーションソフトウェアにより作成したスライド画像等のデータが含まれる。
【００２１】
プロジェクター２００は、端末装置１００から供給される画像データに基づく画像を投射対象に投射する。本実施形態は、投射対象がスクリーンＳＣである場合を例示するが、投射対象は、建物の内壁等の平らな面を有するものであればよい。また、投射対象は、建物の外壁や、物体等の一様に平らではない物体であってもよい。
プロジェクター２００は、投射対象としてのスクリーンＳＣの上方に設置され、下方に配置されたスクリーンＳＣに向けて画像を投射する。
【００２２】
また、プロジェクター２００は、端末装置１００から供給される画像データに基づく画像の他に、ユーザーが種々の操作を指定可能なメニュー画面５０を投射して、ユーザーによるメニュー画面５０の操作を検出する。メニュー画面５０に対する操作には、指示体７０が用いられる。本実施形態では、指示体７０が電子ペンである場合について説明するが、指示体７０は、ユーザーの指であってもよい。
なお、プロジェクター２００が、指示体７０のスクリーンＳＣに対する操作を検出する方法については後述する。
【００２３】
図２は、端末装置１００の構成図である。端末装置１００は、記憶部１０１、制御部１０２、ドライブ装置１０３、表示部１０４、操作部１０５、出力インターフェース部１０６を備える。出力インターフェース部１０６は、本発明の「出力部」に相当する。
【００２４】
記憶部１０１は、例えば、ハードディスク装置等の補助記憶装置である。記憶部１０１は、大容量の情報の記憶が可能なフラッシュメモリー又はＣＤ（Compact Disc）、ＤＶＤ（Digital Versatile Disc）、ＢＤ（Blu-ray（登録商標） Disc）等の光ディスクで代替されてもよい。記憶部１０１は、制御部１０２が実行するアプリケーションプログラムや各種データを記憶する。
また、記憶部１０１は、予め設定された音声パターンの音声データ１０１１を記憶する。音声データ１０１１の音声パターンは、例えば、１の音又は連続する複数の音で構成され、音の高さ（周波数）、音量、及び／又はこれらの変化、それぞれの音の長さ等を規定するパターンである。音声パターンは、特定の変化をする音声パターンだけでなく、複数の音声パターンを含むように幅を有する値で構成されてもよい。
音声データ１０１１には、例えば、指示体７０を用いてスクリーンＳＣに描画された描画データを消去させる音声パターン（以下、第１の音声パターンという）の音声データや、スクリーンＳＣに描画された描画データ及び画像データをプロジェクター２００に記憶させる音声パターン（以下、第２の音声パターンという）の音声データ等を記憶する。描画データの詳細については後述する。描画データによって表される画像が、本発明の「第２の画像」に相当する。
また、記憶部１０１は、対応表１０１２を記憶する。対応表１０１２には、操作部１０５で受け付ける操作と、当該操作を受け付けた場合にプロジェクター２００に出力する音声データの音声パターンとが対応付けて登録されている。
また、端末装置１００により受け付けた１の操作により、プロジェクター２００に複数の動作を実行させる場合、対応表１０１２に、１の操作に対応付けて複数の音声パターンを登録してもよい。
【００２５】
制御部１０２は、ＣＰＵ（Central Processing Unit）、ＲＯＭ（Read Only Memory）、ＲＡＭ（Random Access Memory）等を備える。制御部１０２のＣＰＵは、ＲＯＭの記憶するファームウェアや記憶部１０１に記憶されたアプリケーションプログラムをＲＡＭに読み出し実行する。
【００２６】
制御部１０２は、アプリケーションプログラムを実行して、実行したアプリケーションプログラムに対応した画像を表示部１０４に表示させる。
例えば、制御部１０２は、アプリケーションプログラムとしてワープロソフトや表計算ソフト、プレゼンテーションソフトを実行し、文書や表のファイルや、スライド画像を表示部１０４に表示させる。また、制御部１０２が表示部１０４に表示させる画像には、ドライブ装置１０３がＣＤ、ＤＶＤ、ＢＤ等の光ディスクから読み取った画像データやファイル、記憶部１０１に予め記憶された画像データやファイル等が含まれる。
また、制御部１０２は、表示部１０４に表示させた画像に対応する画像データをプロジェクター２００に送信するモードが設定されると、表示部１０４に表示させた画像に対応する画像データを出力インターフェース部１０６に出力する。
【００２７】
また、制御部１０２は、操作部１０５の操作を検出して、表示部１０４の表示態様の変化を検出し、予め設定された音声パターンの音声データを出力インターフェース部１０６によりプロジェクター２００に送信する。
制御部１０２は、例えば、アプリケーションプログラムとして、ワープロソフトや表計算ソフト、プレゼンテーションソフトを実行する場合に、操作部１０５の入力を監視し、表示部１０４に表示されたファイルのページや、シートを切り替える操作を検出する。制御部１０２は、表示部１０４に表示されたファイルのページや、シートの切り替え操作を検出すると、対応表１０１２を参照して、検出した操作に対応した音声パターンの音声データを取得する。例えば、制御部１０２は、指示体７０を用いてスクリーンＳＣに描画された描画データを消去させる音声パターンの音声データを取得する。制御部１０２は、取得した音声データを出力インターフェース部１０６に出力する。
また、制御部１０２は、ドライブ装置１０３が光ディスクから読み取る画像データや、記憶部１０１に予め記憶された画像データの終了を検出した場合に、予め設定された音声パターンの音声データを出力インターフェース部１０６に出力してもよい。
また、制御部１０２は、表示部１０４に表示される画像の変化を検出して、表示部１０４の表示態様の変化を検出してもよい。例えば、表示部１０４に表示される画像が所定時間ごとに切り替えられるスライド画像である場合に、制御部１０２が画像の変化を検出して、予め設定された音声パターンの音声データを出力インターフェース部１０６に出力してもよい。
【００２８】
ドライブ装置１０３は、外部の記憶媒体であるＣＤ、ＤＶＤ、ＢＤ等の光ディスクから情報を読み出す。また、ドライブ装置１０３は、制御部１０２の制御により光ディスクに情報を記録する。
【００２９】
表示部１０４は、画像を表示する表示面を備える表示装置である。表示部１０４は、例えば液晶ディスプレイ、有機ＥＬ（Electro Luminescence）ディスプレイ、ＣＲＴ（Cathode Ray Tube）等の表示面を有し、制御部１０２からの指示に従って、各種情報を表示面に表示する。
【００３０】
操作部１０５は、ユーザーからの操作を受け付けるキーボード、マウス、タッチパネル等の入力デバイスである。操作部１０５は、受け付けた操作に対応した操作信号を生成し、制御部１０２に出力する。
【００３１】
出力インターフェース部１０６は、ケーブル３０を接続するコネクターや、インターフェース回路を備え、画像データ及び音声データをパケットデータに変換してケーブル３０に出力する。
端末装置１００が備える画像データ及び音声データの送信が可能なインターフェースとして、例えば、ＨＤＭＩ（登録商標）（High-Definition Multimedia Interface）や、ＤｉｓｐｌａｙＰｏｒｔが挙げられる。また、端末装置１００が、タブレット端末やスマートフォンである場合、インターフェースとしてＭＨＬ（Mobile High-definition Link）を備える構成であってもよい。
【００３２】
また、出力インターフェース部１０６は、画像データを出力するインターフェースと、音声データを出力するインターフェースとをそれぞれ別々に備える構成とすることもできる。例えば、端末装置１００は、画像データの送信用のコネクターとしてＤ−Ｓｕｂコネクター等のＶＧＡ端子やＤＶＩ（Digital Visual Interface）端子を備える構成とすることができる。また、端末装置１００は、音声データの送信用のコネクターとして、コンポジット端子を備える構成とすることができる。
【００３３】
本実施形態は、端末装置１００とプロジェクター２００とをケーブル３０により接続した構成を示すが、無線により接続する構成であってもよい。この場合のインターフェースとして、例えば、Ｍｉｒａｃａｓｔ（登録商標）や、ＷｉｒｅｌｅｓｓＨＤ（登録商標）、Ｗｉｄｉ（Wireless Display）、ＡｉｒＰｌａｙ（登録商標）、ＷＨＤＩ（Wireless Home Digital Interface）等を用いることができる。
【００３４】
図３は、プロジェクター２００の構成図である。
プロジェクター２００は、入力インターフェース部２５１を備える。入力インターフェース部２５１は、本発明の「入力部」に相当する。
入力インターフェース部２５１は、ケーブル３０を接続するコネクターや、インターフェース回路を備え、画像データ及び音声データを入力する。プロジェクター２００が備える画像データ及び音声データの受信が可能なインターフェースとして、例えば、ＨＤＭＩ（登録商標）（High-Definition Multimedia Interface）や、ＤｉｓｐｌａｙＰｏｒｔが挙げられる。また、端末装置１００が、タブレット端末やスマートフォンである場合、インターフェースとしてＭＨＬ（Mobile High-definition Link）を備える構成であってもよい。
【００３５】
入力インターフェース部２５１は、ケーブル３０を介して送信されるパケットデータを受信し、受信したパケットデータから画像データ及び音声データを取り出す。入力インターフェース部２５１は、取り出した画像データ及び音声データを、画像データと音声データとに分離する。入力インターフェース部２５１は、分離した画像データを画像処理部２５５に出力し、音声データを音声処理部２５２及び制御部２７０に出力する。
【００３６】
また、入力インターフェース部２５１は、画像データを入力するインターフェースと、音声データを入力するインターフェースとをそれぞれ別々に備える構成とすることもできる。例えば、プロジェクター２００は、画像データの受信用のコネクターとしてＤ−Ｓｕｂコネクター等のＶＧＡ端子やＤＶＩ（Digital Visual Interface）端子を備える構成とすることができる。また、プロジェクター２００は、音声データの受信用のコネクターとして、コンポジット端子を備える構成とすることができる。
また、プロジェクター２００は、無線により端末装置１００と接続する構成であってもよい。
【００３７】
プロジェクター２００は、光学的な画像の形成を行い、スクリーンＳＣに画像を投射させる表示部２１０を備える。
表示部２１０は、光源部２１１、光変調装置２１２及び投射光学系２１３を備える。光源部２１１は、キセノンランプ、超高圧水銀ランプ、ＬＥＤ（Light Emitting Diode）又はレーザー光源等からなる光源を備える。また、光源部２１１は、光源が発した光を光変調装置２１２に導くリフレクター及び補助リフレクターを備えていてもよい。さらに、光源部２１１は、投射光の光学特性を高めるためのレンズ群、偏光板、又は光源が発した光の光量を光変調装置２１２に至る経路上で低減させる調光素子等（いずれも図示略）を備えていてもよい。
【００３８】
光源部２１１は、光源駆動部２２１により駆動される。光源駆動部２２１は、内部バス２８０に接続される。光源駆動部２２１は、制御部２７０の制御により光源部２１１の光源を点灯及び消灯させる。
【００３９】
光変調装置２１２は、例えばＲＧＢの三原色に対応した３枚の液晶パネルを備える。光源部２１１が発する光はＲＧＢの３色の色光に分離され、それぞれ対応する液晶パネルに入射される。３枚の液晶パネルは、透過型の液晶パネルであり、透過する光を変調して画像光を生成する。各液晶パネルを通過して変調された画像光は、クロスダイクロイックプリズム等の合成光学系によって合成され、投射光学系２１３に射出される。
【００４０】
光変調装置２１２は、光変調装置駆動部２２２により駆動される。光変調装置駆動部２２２は、内部バス２８０に接続される。
光変調装置駆動部２２２は、後述する画像合成部２５７から入力される合成画像データに基づいてＲ，Ｇ，Ｂの画像信号を生成する。光変調装置駆動部２２２は、生成したＲの画像信号、Ｇの画像信号、Ｂの画像信号に基づいて対応する液晶パネルを駆動し、各液晶パネルに画像を描画する。
【００４１】
投射光学系２１３は、光変調装置２１２により変調された画像光をスクリーンＳＣ方向へ投射して、スクリーンＳＣ上に結像させるレンズ群を備える。また、投射光学系２１３は、スクリーンＳＣに投射される投射画像を拡大又は縮小させるズーム機構や、フォーカスの調整を行うフォーカス調整機構を備えていてもよい。
【００４２】
プロジェクター２００は、操作パネル２３１及び入力処理部２３３を備える。入力処理部２３３は、内部バス２８０に接続される。
ユーザーインターフェースとして機能する操作パネル２３１には、各種の操作キーや、液晶パネルにて構成された表示画面が設けられる。
入力処理部２３３は、操作パネル２３１の操作キーが操作されると、操作されたキーに対応した操作信号を制御部２７０に出力する。また、操作パネル２３１には、操作パネル２３１への接触を検出するタッチセンサーが重ね合わされて一体形成される。入力処理部２３３は、ユーザーの指等が接触した操作パネル２３１の位置を入力位置として検出し、検出した入力位置に対応した操作信号を制御部２７０に出力する。さらに、入力処理部２３３は、制御部２７０から入力される制御信号に基づいて、操作パネル２３１に各種画面を表示させる。
【００４３】
また、プロジェクター２００は、ユーザーが使用するリモコン５を有する。リモコン５は各種のボタンを備えており、これらのボタンの操作に対応して赤外線信号を送信する。プロジェクター２００の本体には、リモコン５が発する赤外線信号を受光するリモコン受光部２３２が配置されている。リモコン受光部２３２は、リモコン５から送信される赤外線信号を受光する。入力処理部２３３は、リモコン受光部２３２が受光した赤外線信号をデコードして、リモコン５における操作内容を示す操作信号を生成し、制御部２７０に出力する。
【００４４】
プロジェクター２００は、ペン型の指示体７０による操作、及び操作により指示される操作位置を検出する指示体検出部２４０を備える。指示体検出部２４０は、撮像部２４１及び位置検出部２４２を備える。指示体検出部２４０は、内部バス２８０に接続される。
撮像部２４１は、デジタルカメラを備え、スクリーンＳＣを撮像して撮像画像を生成する。撮像部２４１の撮像範囲、すなわち画角は、スクリーンＳＣの全体又はスクリーンＳＣを含む範囲であることが好ましい。
撮像部２４１に搭載されるカメラは、可視光による撮像を行うものに限定されず、赤外光を撮像するカメラであってもよい。例えば、指示体７０に、赤外光を発光する発光部を設けて、発光部の発光を撮像部２４１により撮像し、指示体７０の操作位置を検出する構成であってもよい。
【００４５】
位置検出部２４２は、指示体７０の操作位置を検出する。位置検出部２４２は、撮像部２４１の撮像画像を解析して、撮像画像から指示体７０の画像を検出する。位置検出部２４２は、撮像画像から指示体７０の画像を検出すると、指示体７０の先端の位置を検出して、検出した操作位置の座標を特定する。位置検出部２４２が特定する座標は、撮像画像における指示体７０の操作位置の座標である。位置検出部２４２は、検出した操作位置の座標を制御部２７０に出力する。
【００４６】
プロジェクター２００は、音声データに対しデコード処理等の所定の処理を行う音声処理部２５２及び音声出力部２５３を備える。音声処理部２５２は、入力インターフェース部２５１から入力される音声データに対して各種の音声処理を行い、処理後の音声データを音声出力部２５３に出力する。音声出力部２５３は、入力される音声データによる音声を出力する。
【００４７】
プロジェクター２００は、画像処理系を備える。この画像処理系は、プロジェクター２００の全体を統合的に制御する制御部２７０を中心に構成され、この他に、記憶部２６０、画像処理部２５５、画像合成部２５７及びフレームメモリー２５６を備える。画像処理系を構成する各部は、内部バス２８０によりデータ通信可能に相互に接続される。
【００４８】
画像処理部２５５は、制御部２７０の制御に従って、入力インターフェース部２５１から入力される画像データを処理し、処理した画像データを表示画像データ（第１の画像）として画像合成部２５７に出力する。画像処理部２５５が実行する処理には、例えば、解像度変換（スケーリング）処理又はリサイズ処理、歪み補正等の形状補正処理、デジタルズーム処理、色調補正処理、輝度補正処理等である。画像処理部２５５は、制御部２７０により指定された処理を実行し、必要に応じて、制御部２７０から入力されるパラメーターを使用して処理を行う。また、画像処理部２５５は、上記のうち複数の処理を組み合わせて実行することも勿論可能である。
なお、外部から供給された画像データには、端末装置１００から供給され、記憶部２６０に保存された画像データも含まれる。すなわち、プロジェクター２００の電源がオンされた際に、記憶部２６０に保存されていた画像データも含まれる。
【００４９】
画像合成部２５７は、画像処理部２５５から入力される表示画像データをフレームメモリー２５６に展開する。また、画像合成部２５７は、制御部２７０により生成された画像データ（描画データ）を取得し、フレームメモリー２５６に展開する。ここで、画像合成部２５７は、画像処理部２５５から入力される表示画像データと、制御部２７０により生成された描画データとをフレームメモリー２５６で合成する。画像合成部２５７は、合成した画像データ（以下、合成画像データという）をフレームメモリー２５６から読み出し、光変調装置駆動部２２２に出力する。
【００５０】
記憶部２６０は、例えば、ハードディスク装置等の補助記憶装置である。記憶部２６０は、大容量の情報の記憶が可能なフラッシュメモリー又はＣＤ（Compact Disc）、ＤＶＤ（Digital Versatile Disc）、ＢＤ（Blu-ray（登録商標） Disc）等の光ディスクで代替されてもよい。記憶部２６０は、制御部２７０が実行するアプリケーションプログラムや各種データを記憶する。
また、記憶部２６０は、予め設定された音声パターンの音声データ２６０１を記憶する。音声データ２６０１の音声パターンは、例えば、１の音又は連続する複数の音で構成され、音の高さ（周波数）、音量、及び／又はこれらの変化、それぞれの音の長さ等を規定するパターンである。音声パターンは、特定の変化をする音声パターンだけでなく、複数の音声パターンを含むように幅を有する値で構成されてもよい。
音声データ２６０１には、例えば、指示体７０を用いてスクリーンＳＣに描画された描画データを消去させる音声パターンの音声データや、スクリーンＳＣに描画された描画データ及び画像データをプロジェクター２００に記憶させる音声パターンの音声データ等を記憶する。また、記憶部２６０は、各音声データに付与された識別情報と、プロジェクター２００に実行させる動作とを対応付けた対応表２６０２を記憶する。対応表２６０２は、音声データの音声パターンと、音声パターンに該当する音声データが入力された場合に実行する動作とを対応付けた表である。対応表２６０２には、複数の音声パターンに対応付けて１つの動作を設定してもよいし、１つの音声パターンに１つの動作を対応付けてもよい。
【００５１】
制御部２７０は、ハードウェアとしてＣＰＵ、ＲＯＭ及びＲＡＭ（いずれも図示略）を備える。ＲＯＭは、フラッシュＲＯＭ等の不揮発性の記憶装置であり、制御プログラム及びデータを記憶する。ＲＡＭは、ＣＰＵのワークエリアを構成する。ＣＰＵは、ＲＯＭから読み出した制御プログラムをＲＡＭに展開し、展開された制御プログラムを実行してプロジェクター２００の各部を制御する。
【００５２】
制御部２７０は、機能ブロックとして、投射制御部２７１、操作取得部２７２、描画処理部２７３、データ保存部２７４、音声パターン解析部２７５を備える。これらの機能ブロックは、ＲＡＭに展開された制御プログラムを実行することで実現される。
【００５３】
投射制御部２７１は、プロジェクター２００の各部を制御して、スクリーンＳＣへの画像の投射を制御する。
具体的には、投射制御部２７１は、画像処理部２５５を制御して、端末装置１００から供給される画像データに対する画像処理を実施させる。この際、投射制御部２７１は、画像処理部２５５が処理に必要なパラメーターを記憶部２６０から読み出し、画像処理部２５５に出力してもよい。また、投射制御部２７１は、画像合成部２５７を制御して、画像合成部２５７に、表示画像データと描画データとを合成する処理を実行させる。また、投射制御部２７１は、光変調装置駆動部２２２を制御して光変調装置２１２の液晶パネルに画像を描画させる。さらに、投射制御部２７１は、光源駆動部２２１を制御して光源部２１１の光源を点灯させ、光源の輝度を調整させる。これにより、光源が発光して光変調装置２１２が変調する画像光が投射光学系２１３によりスクリーンＳＣに投射される。
【００５４】
操作取得部２７２は、指示体検出部２４０から入力される操作位置の座標を座標変換する。指示体検出部２４０は、指示体７０の操作位置を、撮像画像における座標で特定し、特定した操作位置の座標を制御部２７０に出力する。操作取得部２７２は、指示体検出部２４０から入力される操作位置の座標を、描画処理部２７３がフレームメモリー２５６に描画を行うための座標である、フレームメモリー２５６の座標に変換する。
【００５５】
描画処理部２７３は、指示体検出部２４０が検出した操作位置、又は操作位置の軌跡に合わせて、文字や記号、図形を描画する処理を行う。描画処理部２７３は、フレームメモリー２５６に展開される表示画像データのサイズに合わせて、漢字、平仮名、カタカナ、アルファベット、数字等の文字や、記号、図形のデータである描画データを生成する。描画処理部２７３が生成する描画データは、画像合成部２５７に出力される。画像合成部２５７は、画像処理部２５５により処理された表示画像データに基づく画像が展開されたフレームメモリー２５６に、描画処理部２７３により生成された描画データに基づく画像を重畳し、合成画像データを生成する。
【００５６】
データ保存部２７４は、音声パターン解析部２７５によりデータの保存が指示されると、画像データを保存するファイルが記憶部２６０に生成されていない場合に、ファイルを生成する。
データ保存部２７４がファイルを作成するタイミングは、例えば、直近に作成したファイルの作成日付が、現在の日付と異なる場合や、直近に作成したファイルの作成時刻から予め設定された時間を経過していた場合等が挙げられる。また、ユーザーによりファイルの作成を指示された場合や、プロジェクター２００に、別の端末装置１００が接続された場合、端末装置１００からプロジェクター２００への画像データの送信が終了した場合、端末装置１００からプロジェクター２００に送信される画像データの種類が変更された場合等が挙げられる。
また、ファイルには、ファイルを特定するためのファイル名が付加される。ファイル名には、ファイルを生成した日付や、シリアル番号（ファイルの生成順に付された番号）等が用いられるが、ユーザーが操作パネル２３１やリモコン５を操作して入力したファイル名を用いることもできる。
次に、データ保存部２７４は、ファイルに、描画処理部２７３により生成された描画データや、フレームメモリー２５６に展開された表示画像データ、描画データと表示画像データとを合成した合成画像データを保存する。
データ保存部２７４は、画像合成部２５７により合成画像データが生成され、フレームメモリー２５６に展開されている場合には、画像合成部２５７から合成画像データを取得してファイルに保存する。また、データ保存部２７４は、表示画像データを画像処理部２５５から取得すると共に、描画データを描画処理部２７３から取得し、表示画像データと描画データとを別々にファイルに保存してもよい。また、データ保存部２７４は、フレームメモリー２５６に描画データが展開されておらず、表示画像データだけが展開されている場合、画像合成部２５７から表示画像データだけを取得してファイルに保存する。
さらに、データ保存部２７４は、描画データや、表示画像データ、合成画像データをファイルに保存する際に、これらのデータの保存時刻を対応付ける。データ保存部２７４は、同一の保存時刻に設定される描画データや、表示画像データ、合成画像データを対応付けてファイルに保存する。
【００５７】
音声パターン解析部２７５は、音声処理部２５２から入力される音声データの音声パターンを解析する。この解析には、既存の音声認識技術を用いることができる。音声パターン解析部２７５は、入力された音声データを解析し、予め設定された音声パターン（例えば、第１の音声パターンや第２の音声パターン）が含まれるか否かを判定する。音声パターン解析部２７５は、記憶部２６０に記憶された音声データ２６０１を参照して、予め設定された音声パターンが含まれるか否かを判定する。また、音声パターン解析部２７５は、予め設定された音声パターンを検出した場合、記憶部２６０の対応表２６０２を参照して、検出した音声パターンに対応付けられた処理を取得する。音声パターン解析部２７５は、取得した処理の実行を描画処理部２７３や、データ保存部２７４に指示する。音声パターンに対応付けられる処理には、指示体７０によりスクリーンＳＣに描画された描画データを消去する消去処理や、表示画像データ及び描画データを対応付けて記憶部２６０に保存する保存処理等が含まれる。
【００５８】
図４は、端末装置１００の制御部１０２の動作を示すフローチャートである。このフローチャートでは、表示部１０４に表示されたシートを切り替える操作部１０５の操作を検出して、対応する音声データとしての第１の音声パターンをプロジェクター２００に送信する動作を説明する。
まず、制御部１０２は、アプリケーションプログラムが実行され、このアプリケーションプログラムが生成する画像データ（データファイル）に基づく画像が表示部１０４に表示されたか否かを判定する（ステップＳ１）。否定判定の場合（ステップ１／ＮＯ）、制御部１０２は、画像データに基づく画像が表示部１０４に表示されるまで待機する。また、肯定判定の場合（ステップＳ１／ＹＥＳ）、制御部１０２は、アプリケーションプログラムが生成した画像データの外部の装置への出力が開始されたか否かを判定する（ステップＳ２）。
【００５９】
ステップＳ２の判定が否定判定の場合（ステップＳ２／ＮＯ）、制御部１０２は、表示部１０４に表示させた画像データに基づく画像の表示が終了したか否かを判定する（ステップＳ７）。肯定判定の場合（ステップＳ７／ＹＥＳ）、制御部１０２は、この処理フローを終了させる。また、否定判定の場合（ステップＳ７／ＮＯ）、制御部１０２は、ステップＳ２の判定に戻り、画像データの外部の装置への出力が開始されたか否かを判定する（ステップＳ２）。
また、ステップＳ２の判定が肯定判定の場合（ステップＳ２／ＹＥＳ）、制御部１０２は、操作部１０５によりシートを切り替える操作を受け付けたか否かを判定する（ステップＳ３）。否定判定の場合（ステップＳ３／ＮＯ）、制御部１０２は、外部の装置への画像データの出力が終了したか否かを判定する（ステップＳ６）。肯定判定の場合（ステップＳ６／ＹＥＳ）、制御部１０２は、上述したステップＳ７の判定を行う。また、否定判定の場合（ステップＳ６／ＮＯ）、制御部１０２は、ステップＳ３の判定に戻り、操作部１０５によりシートを切り替える操作を受け付けたか否かを判定する。
【００６０】
また、ステップＳ３の判定が肯定判定の場合（ステップＳ３／ＹＥＳ）、制御部１０２は、記憶部１０１に記憶した対応表１０１２を参照して、受け付けた操作に対応した予め設定された音声パターンを含む音声データを取得する（ステップＳ４）。例えば、制御部１０２は、シートを切り替える操作を受け付けた場合、スクリーンＳＣに描画された描画データを消去させる第１の音声パターンの音声データを記憶部１０１から取得する。制御部１０２は、取得した第１の音声パターンの音声データを出力インターフェース部１０６に出力する。出力インターフェース部１０６は、入力された第１の音声パターンの音声データをパケットデータに変換し、変換したパケットデータを、ケーブル３０を介してプロジェクター２００に送信する（ステップＳ５）。
ステップＳ５の処理の後、制御部１０２は、画像データに基づく画像の表示が終了したか否かを判定する（ステップＳ６）。否定判定の場合（ステップＳ６／ＮＯ）、制御部１０２は、ステップＳ３の判定に戻り、操作部１０５によりシートを切り替える操作を受け付けたか否かを判定する。また、肯定判定の場合（ステップＳ６／ＹＥＳ）、制御部１０２は、上述したステップＳ７の判定を行う。ステップＳ７の判定が否定判定の場合（ステップＳ７／ＮＯ）、制御部１０２は、ステップＳ２の判定に戻り、肯定判定の場合（ステップＳ７／ＹＥＳ）、制御部１０２は、この処理フローを終了させる。
【００６１】
上述のフローチャートでは、制御部１０２は、操作部１０５がシートを切り替える操作を受け付けたか否かを判定して、所定の音声パターンの音声データをプロジェクター２００に送信する例を説明した。これ以外の動作として、制御部１０２は、プロジェクター２００に画像データの供給を開始してから、予め設定された設定時間が経過した場合に、予め設定された音声パターンの音声データをプロジェクター２００に出力するようにしてもよい。制御部１０２がこのように動作することで、スクリーンＳＣに画像が表示されてから所定時間が経過した後に、プロジェクター２００に所定の動作を実行させることができる。例えば、端末装置１００がプロジェクター２００に画像データの供給を開始して、画像データに基づく画像がスクリーンＳＣに画像が表示され、この画像の表示から所定時間の間だけ、指示体７０によるスクリーンＳＣへの画像の描画が許可される。端末装置１００の制御部１０２は、所定時間が経過すると、指示体７０によるスクリーンＳＣへの画像の描画を禁止する音声パターンの音声データをプロジェクター２００に送信する。プロジェクター２００の制御部２７０は、端末装置１００から指示体７０によるスクリーンＳＣへの画像の描画を禁止する音声パターンの音声データを受信すると、例えば、指示体検出部２４０に、撮像画像の生成を停止させ、指示体７０による操作の検出を停止させる。
これにより、画像データに基づく画像がスクリーンＳＣに表示されてから所定時間の間だけ、指示体７０を用いた画像の描画が許可され、所定時間が経過した後は、指示体７０を用いた画像の描画ができないようにすることができる。
【００６２】
図５は、プロジェクター２００の動作を示すフローチャートである。
プロジェクター２００の制御部２７０は、端末装置１００から画像データが供給され、供給された画像データに基づく画像を表示部１１０によりスクリーンＳＣに投射しているか否かを判定する（ステップＳ１１）。否定判定の場合（ステップＳ１１／ＮＯ）、制御部２７０は、この処理フローを終了させる。
また、肯定判定の場合（ステップＳ１１／ＹＥＳ）、制御部２７０は、入力インターフェース部２５１から音声データを入力したか否かを判定する（ステップＳ１２）。否定判定の場合（ステップＳ１２／ＮＯ）、制御部２７０は、ステップＳ１２の判定に戻る。
【００６３】
また、ステップＳ１２の判定が肯定判定の場合（ステップＳ１２／ＹＥＳ）、制御部２７０は、入力された音声データを音声処理部２５２にデコード処理させ（ステップＳ１３）、処理された音声データを入力する。
【００６４】
制御部２７０の音声パターン解析部２７５は、入力された音声データを解析して（ステップＳ１４）、音声データに、予め設定された音声パターンが含まれるか否かを判定する（ステップＳ１５）。否定判定の場合（ステップＳ１５／ＮＯ）、音声パターン解析部２７５は、音声処理部２５２に、音声データを音声出力部２５３に出力するように指示する（ステップＳ１６）。この後、音声パターン解析部２７５は、ステップＳ１２の判定に戻り、入力インターフェース部２５１から音声データを入力したか否かを判定する。
【００６５】
また、ステップＳ１５の判定が肯定判定の場合（ステップＳ１５／ＹＥＳ）、音声パターン解析部２７５は、音声処理部２５２を制御して、音声出力部２５３からの音声の出力を停止させ（ステップＳ１７）、描画処理部２７３に、描画データの消去を指示する。
描画処理部２７３は、画像合成部２５７に、フレームメモリー２５６に展開された描画データを消去させ、スクリーンＳＣに描画された描画データを消去させる（ステップＳ１８）。
【００６６】
描画データが消去されると、音声パターン解析部２７５は、音声処理部２５２に、音声データを音声出力部２５３に出力させ、音声の出力を再開させる（ステップＳ１９）。
【００６７】
上述したフローチャートでは、スクリーンＳＣに描画された描画データを消去する場合を説明したが、プロジェクター２００が予め設定された音声パターンの音声データを入力して実行する処理は、描画データの消去だけに限定されるものではない。
【００６８】
例えば、音声パターン解析部２７５は、入力された音声データが予め設定された音声パターンの音声データ（第２の音声パターンの音声データ）であると判定した場合に、データ保存部２７４に、描画データ及び表示画像データの少なくとも一方を保存するように指示する。データ保存部２７４は、描画処理部２７３が描画した描画データや、画像処理部２５５が処理した表示画像データ、フレームメモリー２５６に展開された合成画像データの少なくとも１つを記憶部２６０に記憶させる。
【００６９】
また、音声パターン解析部２７５は、入力された音声データが予め設定された音声パターンの音声データであると判定した場合には、描画処理部２７３に、描画データの生成を停止させる。描画処理部２７３は、指示体検出部２４０が指示体７０の操作を検出しても、検出された操作に対応した描画データを生成しない。また、音声パターン解析部２７５は、指示体検出部２４０に、撮像画像の生成を停止させ、指示体７０による操作の検出を停止させてもよい。
さらに、音声パターン解析部２７５は、入力された音声データが予め設定された音声パターンの音声データであると判定した場合には、画像合成部２５７に、描画データを表示画像データに合成しないように指示してもよい。画像合成部２５７は、描画処理部２７３により生成された描画データが入力されても、フレームメモリー２５６に展開された表示画像データに描画データを描画しないようにする。
これによって、端末装置１００からプロジェクター２００に送信される予め設定された音声パターンの音声データにより、指示体７０の操作に対応した描画データに基づく画像がスクリーンＳＣに投射されないようにすることができる。
例えば、学校等において、本実施形態の表示システム１を利用する場合に、先生が端末装置１００を操作して、生徒のスクリーンＳＣへの書き込みができないようにすることができる。
【００７０】
また、音声パターン解析部２７５は、予め設定された音声パターンの音声データが入力されたと判定してから予め設定された設定時間の間、指示体検出部２４０に指示体７０の操作を検出させ、描画処理部２７３に、描画データを生成させてもよい。音声パターン解析部２７５は、予め設定された設定時間を経過した場合、指示体検出部２４０に指示体７０の検出を停止させ、描画処理部２７３に、描画データの生成を停止させる。
例えば、学校等において、本実施形態の表示システム１を利用する場合に、生徒が、予め設定された設定時間の間だけ、指示体７０を用いてスクリーンＳＣに描画を行うことができるようにすることができる。
【００７１】
以上説明したように本発明を適用した実施形態は、端末装置１００と、プロジェクター２００とを備える。
端末装置１００は、予め設定された音声パターンの音声データを出力インターフェース部１０６から出力する。プロジェクター２００は、予め設定された音声パターンと、音声パターンに該当する音声データが入力インターフェース部２５１に入力された場合に実行する動作とが設定される。プロジェクター２００は、入力インターフェース部２５１に入力される音声データが音声パターンに該当する場合に、音声パターンに対応して設定された動作を実行する。従って、接続態様によらずに端末装置１００及びプロジェクター２００を連動して動作させることができる。
【００７２】
また、端末装置１００が備える出力インターフェース部１０６は、画像データ及び音声データを出力する出力インターフェースを備える。プロジェクター２００が備える入力インターフェース部２５１は、画像データ及び音声データを入力する入力インターフェースを備える。従って、画像データ及び音声データを１つのインターフェースで端末装置１００からプロジェクター２００に送信することができる。
【００７３】
端末装置１００が備える出力インターフェース部１０６は、画像データを出力するインターフェースと、音声データを出力するインターフェースとを含む出力インターフェースを備える。また、プロジェクター２００が備える入力インターフェース部２５１は、画像データを入力するインターフェースと、音声データを入力するインターフェースとを含む入力インターフェースを備える。従って、画像データと、音声データとをそれぞれ別々のインターフェースにより端末装置から表示装置に送信することができる。
【００７４】
また、端末装置１００は、出力インターフェース部１０６から出力する画像データが予め設定された変化をする場合に、予め設定された音声パターンの音声データを出力インターフェース部１０６から出力する制御部１０２を備える。
従って、出力インターフェース部１０６から出力される画像データの変化を検出して、予め設定された音声パターンの音声データをプロジェクター２００に出力することができ、プロジェクター２００に、画像データの変化に対応して、所定の動作を行わせることができる。
【００７５】
また、プロジェクター２００は、入力インターフェース部２５１に入力される画像データに基づく第１の画像を表示する表示部２１０と、指示体の操作を検出する指示体検出部２４０と、指示体検出部２４０が検出する操作に対応する第２の画像を描画して、表示部２１０に表示させる描画処理部２７３とを備える。音声パターン解析部２７５は、入力インターフェース部２５１に入力される音声データが予め設定された音声パターンに該当する場合に、表示部２１０がスクリーンＳＣに投射する第２の画像の表示を消去する。
従って、端末装置１００からプロジェクター２００に送信される予め設定された音声パターンの音声データにより、スクリーンＳＣに投射された第２の画像を消去することができる。
【００７６】
また、音声パターン解析部２７５は、入力インターフェース部２５１に入力される音声データが予め設定された音声パターンに該当する場合に、データ保存部２７４に、スクリーンＳＣに投射された第１の画像及び第２の画像の少なくとも一方の画像データを記憶部２６０に記憶させる。
従って、端末装置１００からプロジェクター２００に送信される予め設定された音声パターンの音声データにより、スクリーンＳＣに投射された第１の画像と、第２の画像との少なくとも一方を記憶部２６０に記憶させることができる。
【００７７】
また、音声パターン解析部２７５は、入力インターフェース部２５１に入力される音声データが予め設定された音声パターンに該当する場合に、画像合成部２５７に、描画処理部２７３が生成した描画データを、表示画像データに合成させないように指示する。また、音声パターン解析部２７５は、音声データが予め設定された音声パターンに該当する場合に、描画処理部２７３に、描画データの生成を停止させる。
これにより、端末装置１００からプロジェクター２００に送信される予め設定された音声パターンの音声データにより、指示体７０の操作に対応した描画データに基づく画像がスクリーンＳＣに投射されないようにすることができる。
【００７８】
また、端末装置１００の制御部１０２は、画像データの出力を開始してから、予め設定された時間が経過した場合に、音声パターンの音声データを出力インターフェース部１０６から出力する。
従って、画像データに基づく画像がスクリーンＳＣに表示されてから設定時間が経過した場合に、指示体７０の操作に対応した第２の画像がスクリーンＳＣに表示されないようにすることができる。
【００７９】
また、描画処理部２７３は、入力インターフェース部２５１に入力される音声データが予め設定された音声パターンに該当する場合に、予め設定された時間、第２の画像をスクリーンＳＣに表示させ、時間の経過後に、第２の画像をスクリーンＳＣに表示させない状態に移行する。
従って、端末装置１００からプロジェクター２００に送信される予め設定された音声パターンの音声データにより、予め設定された設定時間の間、指示体７０の操作に対応した第２の画像をスクリーンＳＣに表示することができる。また、予め設定された設定時間を経過すると、指示体７０の操作に対応した第２の画像が表示されないようにすることができる。
【００８０】
上述した実施形態は、本発明の好適な実施形態を示すものであり、本発明を限定するものではなく、本発明の要旨を逸脱しない範囲内において種々の変形実施が可能である。
例えば、上述した実施形態では、プロジェクター２００を、透過型液晶パネルを用いた液晶プロジェクターとして説明したが、反射型の液晶パネルやデジタルミラーデバイスを用いたプロジェクターであってもよい。また、スクリーンＳＣに画像を投射するプロジェクターに限定されず、液晶表示パネルに画像を表示する液晶モニター又は液晶テレビ、或いは、ＰＤＰ（プラズマディスプレイパネル）に画像を表示するモニター装置又はテレビ受像機、ＯＬＥＤ（Organic light-emitting diode）、ＯＥＬ（Organic Electro-Luminescence）等と呼ばれる有機ＥＬ表示パネルに画像を表示するモニター装置又はテレビ受像機等の自発光型の表示装置など、各種の表示装置も本発明の表示装置に含まれる。
【００８１】
また、図２に示す端末装置１００の各機能部、及び図３に示すプロジェクター２００の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。
【符号の説明】
【００８２】
５  リモコン、３０…ケーブル、５０…メニュー画面、７０…指示体、１００…端末装置、１０１…記憶部、１０２…制御部、１０３…ドライブ装置、１０４…表示部、１０５…操作部、１０６…出力インターフェース部、２００…プロジェクター（表示装置）、２１０…表示部、２１１…光源部、２１２…光変調装置、２１３…投射光学系、２２１…光源駆動部、２２２…光変調装置駆動部、２３１…操作パネル、２３２…リモコン受光部、２３３…入力処理部、２４０…指示体検出部、２４１…撮像部、２４２…位置検出部、２５１…入力インターフェース部、２５２…音声処理部、２５３…音声出力部、２５５…画像処理部、２５６…フレームメモリー、２５７…画像合成部、２６０…記憶部、２７０…制御部、２７１…投射制御部、２７２…操作取得部、２７３…描画処理部、２７４…データ保存部、２７５…音声パターン解析部、ＳＣ…スクリーン。
【図１】
2017173497.tif 000003
【図２】
2017173497.tif 000004
【図３】
2017173497.tif 000005
【図４】
2017173497.tif 000006
【図５】
2017173497.tif 000007